(57)【要約】【課題】様々な複数の電子機器を操作する場合においても、ボタン数はほとんど増加せずに、操作方法が簡単で容易な遠隔操作装置を提供する。【解決手段】複数のメーカーに対応する操作キーを有する入力部４と、操作キーのいずれか１つによって指定される指示信号により複数のメーカーのいずれか１つを指定する指定部（メーカー指定部６）と、指定部で指定されたメーカーに対応する商品機器の仕様情報をＩＤタグ５から読み出す読み出し部（電界強度識別部８）と、読み出し部で読み出された複数の商品機器の仕様情報を表示させる表示部（ＩＤタグ情報分析９）と、表示部に表示された複数の商品機器の仕様情報のいずれかを選択する選択部（機器別リモコン信号生成部１０）と、選択部で選択された商品機器の仕様情報を映像音響機器に送信する送信部（リモコン信号送信１１）と、を有するものである。【選択図】      図１
2006270370.tif 000002
【特許請求の範囲】
【請求項１】
複数のメーカーの複数の商品機器の仕様情報を各メーカー毎に格納した複数のＩＤタグを有し、前記複数のＩＤタグから前記複数の商品機器の仕様情報を読み出して映像音響機器に送信する遠隔操作装置において、
前記複数のメーカーに対応する複数の操作キーを有する入力部と、
前記複数の操作キーのいずれか１つによって指定される指示信号により前記複数のメーカーのいずれか１つを指定する指定部と、
前記指定部で指定されたメーカーに対応する前記商品機器の仕様情報を前記ＩＤタグから読み出す読み出し部と、
前記読み出し部で読み出された前記複数の商品機器の仕様情報を表示させる表示部と、
前記表示部に表示された前記複数の商品機器の仕様情報のいずれかを選択する選択部と、
前記選択部で選択された１つの商品機器の仕様情報を前記映像音響機器に送信する送信部と、
を有することを特徴とする遠隔操作装置。
【発明の詳細な説明】
【技術分野】
【０００１】
本発明は、複数の電子機器のリモートコントロール情報を記憶したＩＤタグを用いて、前記複数の電子機器を遠隔操作するための遠隔操作装置に関する。
【背景技術】
【０００２】
図６の従来の遠隔操作装置（リモートコントローラ）１００の断面図に示すように、従来の遠隔操作装置１００は、電子機器の遠隔操作を行うためのリモートコントロール情報を選択するボタンスイッチＳＷ０〜ＳＷ２と、ボタンスイッチＳＷ０〜ＳＷ２で選択されたリモートコントロール情報を赤外線により電子機器に送信する発信機１０１と、から構成される。
【０００３】
次に、動作を説明する。
遠隔操作装置１００は図示していない電子機器に所定の動作を行わせるために、ボタンスイッチＳＷ０〜ＳＷ２のいずれかを選択して押すことにより、発信機１０１から選択されたリモートコントロール情報を赤外線Ｅ１０により電子機器に送信する。電子機器では赤外線Ｅ１０を受信した後、リモートコントロール情報に戻し、このリモートコントロール情報により電子機器の所定の動作を行う。
【０００４】
このようにして、遠隔操作装置１００により、離れた場所に設置してある電子機器の遠隔操作を簡単に行うことができる。
【０００５】
そして、複数のボタンスイッチにより電子機器を遠隔操作する遠隔操作装置は、特定の電子機器を単独で操作するものが主であったが、現在は各社の家電機器やＡＶ機器などに１つの遠隔操作装置で対応するために、各社の電子機器の制御コードを学習し、１つの遠隔操作装置で様々な電子機器を操作することが可能な遠隔操作装置（学習リモコン）も製品化されている。
【０００６】
また、特許文献１には、様々な電子機器の操作情報を記憶したＩＤタグを操作用シートに配置し、遠隔操作装置側で操作用シート上のＩＤタグに記録された複数の操作情報を読み取り、その操作情報に従って様々な電子機器の制御コードを送信する遠隔操作装置が、記載されている。
【特許文献１】特開２００４−１４５７２０号公報
【発明の開示】
【発明が解決しようとする課題】
【０００７】
しかしながら上述したように、複数の電子機器があれば複数の遠隔操作装置１００が必要であり、この複数の遠隔操作装置１００毎にそれぞれ操作方法が異なり、使用時には煩雑で使いにくいと言う問題点があった。さらに、学習リモコンやIDタグを操作用シートに配置した遠隔操作装置では、様々な電子機器を操作可能とするためにボタン数が増加したり、複数のボタンを押す必要が生じたりして操作性が更に複雑になり、簡単に使用できないという問題点があった。
【０００８】
そこで、本発明は、上記のような問題点を解消するためになされたもので、様々な複数の電子機器を操作する場合においても、ボタン数はほとんど増加せずに、操作方法が簡単で容易な遠隔操作装置を提供することを目的とする。
【課題を解決するための手段】
【０００９】
本願発明における第１の発明は、複数のメーカーの複数の商品機器の仕様情報を各メーカー毎に格納した複数のＩＤタグを有し、前記複数のＩＤタグから前記複数の商品機器の仕様情報を読み出して映像音響機器に送信する遠隔操作装置において、前記複数のメーカーに対応する複数の操作キーを有する入力部と、前記複数の操作キーのいずれか１つによって指定される指示信号により前記複数のメーカーのいずれか１つを指定する指定部と、前記指定部で指定されたメーカーに対応する前記商品機器の仕様情報を前記ＩＤタグから読み出す読み出し部と、前記読み出し部で読み出された前記複数の商品機器の仕様情報を表示させる表示部と、前記表示部に表示された前記複数の商品機器の仕様情報のいずれかを選択する選択部と、前記選択部で選択された１つの商品機器の仕様情報を前記映像音響機器に送信する送信部と、を有することを特徴とする遠隔操作装置を提供するものである。
【発明の効果】
【００１０】
本発明によれば、複数のメーカーの複数の商品機器の仕様情報を各メーカー毎に格納した複数のＩＤタグを有し、複数のＩＤタグから複数の商品機器の仕様情報を読み出して映像音響機器に送信する遠隔操作装置において、複数のメーカーに対応する複数の操作キーを有する入力部と、複数の操作キーのいずれか１つによって指定される指示信号により複数のメーカーのいずれか１つを指定する指定部と、指定部で指定されたメーカーに対応する商品機器の仕様情報をＩＤタグから読み出す読み出し部と、読み出し部で読み出された複数の商品機器の仕様情報を表示させる表示部と、表示部に表示された複数の商品機器の仕様情報のいずれかを選択する選択部と、選択部で選択された１つの商品機器の仕様情報を映像音響機器に送信する送信部と、を有することにより、様々な複数の電子機器を操作する場合においても、ボタン数はほとんど増加せずに、操作方法が簡単で容易な遠隔操作を行うことができる。
【発明を実施するための最良の形態】
【００１１】
以下に本発明の実施形態に係る遠隔操作装置について図１〜図５を用いて説明する。
図１は、本発明の実施形態における遠隔操作装置の概要ブロックを示す図である。
図２は、本発明の実施形態における遠隔操作装置の操作を説明するための図である。
図３は、ＩＤタグによる遠隔操作情報の設定を説明するための図であり、（Ａ）はＩＤタグ位置とアンテナ位置の距離による電界強度の変化を示す図であり、（Ｂ）は電界強度によりメーカー指定を設定する設定表を示す図であり、（Ｃ）はＩＤタグに記憶されるデータ配列を示す図である。
図４は、ＩＤタグの使用時の動作を示す断面図であり、（Ａ）は使用前を示す図であり、（Ｂ）はＩＤタグを使用している状態を示す図である。
図５は、ＩＤタグを用いた遠隔走査装置の操作ボタン配列を示す図である。
【００１２】
図１に示すように、本発明の実施形態における遠隔操作装置１は、複数のメーカーの複数の商品機器の仕様情報をリモコン情報３から入手してメーカー毎に格納した複数のＩＤタグ５を有し、複数のＩＤタグ５から複数の商品機器の仕様情報を読み出して映像音響機器２に送信する遠隔操作装置１において、複数のメーカーに対応する複数の操作キーを有する入力部４と、複数の操作キーのいずれか１つによって指定される指示信号により複数のメーカーのいずれか１つを指定するメーカー指定部６と、メーカー指定部６で指定されたメーカーに対応する商品機器の仕様情報をＩＤタグ５から得られる電界強度に応じて読み出す読み出し部（送受信アンテナ７及び電界強度識別部８）と、読み出し部で読み出された複数の商品機器の仕様情報をＩＤタグの情報を分析しながら表示させる表示部（ＩＤタグ情報分析部９）と、表示部に表示された複数の商品機器の仕様情報のいずれかの機器別リモコン信号を生成して遠隔操作する機器を選択する選択部（機器別リモコン信号生成１０）と、選択部で選択された１つの商品機器の仕様情報を映像音響機器に送信する送信部（リモコン信号送信１１）と、から構成される。
【００１３】
次に動作について説明する。
図１に示されるように、リモコン情報３により遠隔操作装置１のＩＤタグ５に、複数のメーカーの複数の商品機器の仕様情報を記憶する。次にメーカー指定部６によりメーカーを指定したのち、遠隔操作を行うＩＤタグ５を押す。そうすると押されたＩＤタグ５から電波が発信されその電波には遠隔操作を行うためのリモコン情報がデータとして重畳される。
【００１４】
次に、押されたＩＤタグ５から発信された電波を送受信アンテナ７で受信し、電界強度識別部８に送られる。電界強度識別部８ではメーカー指定部６から送られてきたメーカーの電界強度情報によりメーカーを識別してＩＤタグ情報分析９に識別情報と押されたＩＤタグのリモコン情報のデータを送る。
【００１５】
ＩＤタグ情報分析部９では、識別されたメーカーとそのリモコン情報のデータを表示して確認するとともに識別されたメーカーとそのリモコン情報を機器別リモコン信号生成１０に送る。機器別リモコン信号生成１０では、識別されたメーカーの機器２の仕様に合ったリモコン信号を生成してリモコン信号送信１１へ送る。リモコン信号送信１１では識別されたメーカーの機器２の仕様に合ったリモコン信号を赤外線等に変換して遠隔操作装置１から識別されたメーカーの機器２へ向けて送信する。
【００１６】
識別されたメーカーの機器２では遠隔操作装置１から送信された赤外線をリモコン信号受信１２で受光しリモコン信号に変換する。そして変換されたリモコン信号をリモコン信号再生１３へ送り、識別されたメーカーの機器２のリモコン情報に再生して機器制御１４に加えることにより識別されたメーカーの機器２を遠隔操作する。
【００１７】
以上に述べたように、遠隔走査装置１のＩＤタグに複数のメーカーの機器のリモコン情報を記憶することにより、１台の遠隔走査装置１を用いてメーカーが異なっても同じ操作方法で複数のメーカーの機器の遠隔操作を行うことができる。
【００１８】
次に、本発明の実施形態における遠隔操作装置１について、より詳細に説明する。
図２に示されるように遠隔操作装置１に用いられる操作キーとしてのＩＤタグ５は無線ＩＤタグ５ａとボタン５ｂとから構成され、入力部４に所定の配列で複数設置されている。このＩＤタグを図２の矢印で示すように押すことにより、送受信アンテナ７との間の位置が縮まりＩＤタグから発信される電界強度が増加した状態で送受信アンテナ７に受信される。
【００１９】
この時の送受信アンテナ７とＩＤタグ間における電界強度特性を図３（Ａ）に示す。ＩＤタグを押すことによる移動距離に対する電界強度を表にしたものを図３（Ｂ）に示す。移動距離を４段階とし、各段階にメーカーを割り当てるとともに例えば遠隔操作したいＴＶチャンネルのデータをＩＤタグ内に記憶しておけば、ＩＤタグを押す位置により所定のメーカーとそのメーカーのＴＶチャンネルのデータが得られる。ＩＤタグ内のデータは予め図３（Ｃ）に示すようにリモコン情報３からメーカー別にＩＤタグ内データとして格納して置く。
【００２０】
図４に示すように、ボタン５ｂに各段階の位置に切り欠きをＩＤタグ５のボタン５ｂに設定しておけば送受信アンテナ７に対する所定の移動距離の割り当て位置に正確にＩＤタグ５を押して設定することができる。
【００２１】
図５に示すような操作パネルを実際に遠隔操作装置１として用いる場合には、ＣＨ選択ボタン１〜１２と録画再生ボタンにそれぞれの形状に合った形状のＩＤタグを貼り付け、各ＩＤタグにリモコン情報３からメーカー別にＩＤタグ内データを格納しておき、メーカー指定部６用にはメーカー切り替えＳＷを別に用意する。このようにしてメーカー切り替えＳＷによりメーカーを指定して電界強度識別部８で指定したメーカーの電界強度のみを抽出すれば、他のメーカーの電界強度は除外されるから、図４（Ｂ）に示すようにＩＤタグを最大位置に押しても指定したメーカーのみのリモコン情報が得られる。
【００２２】
このようにすれば、図５に示すような操作パネルにおいて様々な複数の電子機器を操作する際にも、ボタン数はほとんど増加せずに簡単に遠隔操作を行うことができる。
【図面の簡単な説明】
【００２３】
【図１】本発明の実施形態における遠隔操作装置の概要ブロックを示す図である。
【図２】本発明の実施形態における遠隔操作装置の操作を説明するための図である。
【図３】ＩＤタグによる遠隔操作情報の設定を説明するための図であり、（Ａ）はＩＤタグ位置とアンテナ位置の距離による電界強度の変化を示す図であり、（Ｂ）は電界強度によりメーカー指定を設定する設定表を示す図であり、（Ｃ）はＩＤタグに記憶されるデータ配列を示す図である。
【図４】ＩＤタグの使用時の動作を示す断面図であり、（Ａ）は使用前を示す図であり、（Ｂ）はＩＤタグを使用している状態を示す図である。
【図５】ＩＤタグを用いた遠隔走査装置の操作ボタン配列を示す図である。
【図６】従来の遠隔操作装置の断面図を示す図である。
【符号の説明】
【００２４】
１・・・遠隔操作装置、２・・・メーカーの機器、３・・・リモコン情報、４・・・入力部、５・・・ＩＤタグ、５ａ・・・無線ＩＤタグ、５ｂ・・・ボタン、６・・・メーカー指定部（指定部）、７・・・送受信アンテナ、８・・・電界強度識別部（読み出し部）、９・・・ＩＤタグ情報分析（表示部）、１０・・・機器別リモコン信号生成（選択部）、１１・・・リモコン信号送信（送信部）、１２・・・リモコン信号受信、１３・・・リモコン信号再生、１４・・・機器制御
【図１】
2006270370.tif 000003
【図２】
2006270370.tif 000004
【図３】
2006270370.tif 000005
【図４】
2006270370.tif 000006
【図５】
2006270370.tif 000007
【図６】
2006270370.tif 000008